(57)【要約】【課題】原稿の取り忘れを防止することができる警告制御方法、複写システム、警告制御サーバ、複写装置及び警告制御プログラムを提供する。【解決手段】原稿の複写を行うユーザの写真を撮影するカメラ３０から撮影データを入力し、撮影データを記憶する撮影データ記憶部と、サーバ７とを用いて、原稿の取り忘れを警告する警告制御方法であって、サーバ７のＣＰＵが、ユーザの複写作業が終了であるか否かを判断するとともに、原稿を載置するＡＤＦ４又はプラテン５の原稿を検出するラインセンサ又は紙検出センサに基づき、ＡＤＦ４又はプラテン５に取り忘れの原稿があるか否かを判断し、ユーザの複写作業が終了であって、且つＡＤＦ４又はプラテン５に原稿がある際に、カメラ３０により撮影したユーザの写真画像を有する警告画面をディスプレイに表示する。【選択図】      図１
2009134216.tif 000002
【特許請求の範囲】
【請求項１】
原稿の複写を行うユーザの写真を撮影する撮影手段から撮影データを入力する入力手段
と、撮影データを記憶する撮影データ記憶手段と、警告制御コンピュータとを用いて、原
稿の取り忘れを警告する警告制御方法であって、
前記警告制御コンピュータが、
ユーザの複写作業が終了であるか否かを判断するとともに、前記原稿を載置する載置領
域の原稿を検出する用紙検出センサに基づき、前記載置領域に取り忘れの原稿があるか否
かを判断し、
ユーザの複写作業が終了であって、且つ前記載置領域に原稿がある際に、前記撮影手段
により撮影したユーザの写真画像を有する警告画面を表示手段に表示することを特徴とす
る警告制御方法。
【請求項２】
原稿の取り忘れを警告する複写システムにおいて、
原稿の読み取り面を走査して、複写データを生成する読み取り手段と、
前記複写データに基づき、前記原稿を複写した印刷物を出力する複写手段と、
複写作業を行うユーザを撮影する撮影手段と、
前記撮影手段により撮影された撮影データを記憶する撮影データ記憶手段と、
前記原稿を載置する載置領域に該原稿があるか否かを判断する用紙検出手段と、
ユーザの複写作業が終了であるか否かを判断する作業終了判断手段と、
原稿の取り忘れを警告する警告画面を表示する表示手段と、
ユーザの複写作業が終了であって、且つ前記載置領域に原稿がある際に、前記撮影手段
により撮影したユーザの写真画像を有する警告画面を前記表示手段に表示する出力制御手
段と
を備えたことを特徴とする複写システム。
【請求項３】
請求項２に記載の複写システムにおいて、
原稿を複写した際に生成された複写属性データを、前記撮影データ記憶手段の前記撮影
データと関連付けて記憶する属性データ記憶手段をさらに備えたことを特徴とする複写シ
ステム。
【請求項４】
複写装置と接続され、原稿の取り忘れを警告する警告制御サーバにおいて、
複写作業を行うユーザを撮影する撮影手段から撮影データを入力する撮影データ入力手
段と、
前記原稿を載置する載置領域に該原稿があるか否かを判断する載置判断手段と、
前記撮影手段により撮影された撮影データを記憶する撮影データ記憶手段と、
ユーザの複写作業が終了であるか否かを判断する作業終了判断手段と、
ユーザの複写作業が終了であって、且つ前記載置領域に原稿が残されている際に、前記
撮影手段により撮影したユーザの写真画像を有する警告画面を表示手段に表示する出力制
御手段と
を備えたことを特徴とする警告制御サーバ。
【請求項５】
原稿の取り忘れを警告する複写装置において、
複写作業を行うユーザを撮影する撮影手段から撮影データを入力する撮影データ入力手
段と、
前記原稿を載置する載置領域に該原稿があるか否かを判断する用紙検出手段と、
前記撮影手段により撮影された撮影データを記憶する撮影データ記憶手段と、
ユーザの複写作業が終了であるか否かを判断する作業終了判断手段と、
ユーザの複写作業が終了であって、且つ前記載置領域に原稿が残されている際に、前記
撮影手段により撮影したユーザの写真画像を有する警告画面を表示手段に表示する出力制
御手段と
を備えたことを特徴とする複写装置。
【請求項６】
原稿の複写を行うユーザの写真を撮影する撮影手段から撮影データを入力する入力手段
と、撮影データを記憶する撮影データ記憶手段と、警告制御コンピュータとを用いて、原
稿の取り忘れを警告する警告制御プログラムであって、
前記警告制御コンピュータを、
ユーザの複写作業が終了であるか否かを判断する作業終了判断手段と、
前記原稿を載置する載置領域の原稿を検出する用紙検出手段に基づき、前記載置領域に
取り忘れの原稿があるか否かを判断する載置判断手段と、
ユーザの複写作業が終了であって、且つ前記載置領域に原稿がある際に、前記撮影手段
により撮影したユーザの写真画像を有する警告画面を表示手段に表示する出力制御手段
として機能させることを特徴とする警告制御プログラム。
【発明の詳細な説明】
【技術分野】
【０００１】
本発明は、警告制御方法、複写システム、警告制御サーバ、複写装置及び警告制御プロ
グラムに関する。
【背景技術】
【０００２】
複合機でコピーを行う際、ガラスからなるプラテンと原稿カバーとの間に原稿を載置し
、フラットベッド方式により原稿を読みとる場合と、自動的に原稿を紙送りするオートシ
ートフィダーにより原稿を読みとる場合がある。フラットベッド方式の場合には、原稿が
原稿カバーによって隠されるとともに、ユーザの注意が印刷物や、精算機での釣り銭の受
け取りに向けられるため、原稿を取り忘れることが多い。また、オートシートフィダーを
用いた場合にも、原稿が給紙トレイの下に排紙されると見えにくくなるため、取り忘れが
しばしば発生する。
【０００３】
これに対し、コピーや課金処理が終了してもプラテン等に原稿が載置されている場合に
、警告音を出力したり、操作パネルに「原稿を取ってください」等の案内表示を行う複写
機が提案されている（例えば特許文献１参照）。
【特許文献１】特開平１１−２７２１２８号公報
【発明の開示】
【発明が解決しようとする課題】
【０００４】
ところが、現在の複写機は、紙詰まり、印刷終了時、設定漏れ等の場合にも、警告音を
出力するため、ユーザが警告音に慣れ、警告音を出力しても原稿の取り忘れに気付かない
ことがしばしばある。また、操作パネルに案内表示を出力しても、通常の画面との差異が
小さい場合には、ユーザがその案内表示を見落とし、警告に気付かない場合がある。
【０００５】
本発明は、上記問題点に鑑みてなされたものであり、その目的は、原稿の取り忘れを防
止することができる警告制御方法、複写システム、警告制御サーバ、複写装置及び警告制
御プログラムを提供することにある。
【課題を解決するための手段】
【０００６】
本発明は、原稿の複写を行うユーザの写真を撮影する撮影手段から撮影データを入力す
る入力手段と、撮影データを記憶する撮影データ記憶手段と、警告制御コンピュータとを
用いて、原稿の取り忘れを警告する警告制御方法であって、前記警告制御コンピュータが
、ユーザの複写作業が終了であるか否かを判断するとともに、前記原稿を載置する載置領
域の原稿を検出する用紙検出センサに基づき、前記載置領域に取り忘れの原稿があるか否
かを判断し、ユーザの複写作業が終了であって、且つ前記載置領域に原稿がある際に、前
記撮影手段により撮影したユーザの写真画像を有する警告画面を表示手段に表示する。
【０００７】
これによれば、ユーザが原稿を取り忘れた際に、ユーザを撮影した写真画像が警告画面
に表示されるので、ユーザの注意を警告画面に向けさせることができる。このため、警告
画面を視認させることにより、載置された原稿に気付かせることができる。
【０００８】
本発明は、原稿の取り忘れを警告する複写システムにおいて、原稿の読み取り面を走査
して、複写データを生成する読み取り手段と、前記複写データに基づき、前記原稿を複写
した印刷物を出力する複写手段と、複写作業を行うユーザを撮影する撮影手段と、前記撮
影手段により撮影された撮影データを記憶する撮影データ記憶手段と、前記原稿を載置す
る載置領域に該原稿があるか否かを判断する用紙検出手段と、ユーザの複写作業が終了で
あるか否かを判断する作業終了判断手段と、原稿の取り忘れを警告する警告画面を表示す
る表示手段と、ユーザの複写作業が終了であって、且つ前記載置領域に原稿がある際に、
前記撮影手段により撮影したユーザの写真画像を有する警告画面を前記表示手段に表示す
る出力制御手段とを備えた。
【０００９】
これによれば、ユーザが原稿を取り忘れた際に、ユーザを撮影した写真画像が警告画面
に表示されるので、ユーザの注意を警告画面に向けさせることができる。このため、警告
画面を視認させることにより、載置された原稿に気付かせることができる。
【００１０】
この複写システムにおいて、原稿を複写した際に生成された複写属性データを、前記撮
影データ記憶手段の前記撮影データと関連付けて記憶する属性データ記憶手段をさらに備
えた。
【００１１】
これによれば、複写属性データが、撮影データと関連付けて記憶される。このため、原
稿を取らずに帰ったユーザが、後で原稿を受け取りに来た場合、複写属性データ及び顔写
真の照合を行うことができる。また、不正な複写を防止するセキュリティ機能を高めるこ
ともできる。
【００１２】
本発明は、複写装置と接続され、原稿の取り忘れを警告する警告制御サーバにおいて、
複写作業を行うユーザを撮影する撮影手段から撮影データを入力する撮影データ入力手段
と、前記原稿を載置する載置領域に該原稿があるか否かを判断する載置判断手段と、前記
撮影手段により撮影された撮影データを記憶する撮影データ記憶手段と、ユーザの複写作
業が終了であるか否かを判断する作業終了判断手段と、ユーザの複写作業が終了であって
、且つ前記載置領域に原稿が残されている際に、前記撮影手段により撮影したユーザの写
真画像を有する警告画面を表示手段に表示する出力制御手段とを備えた。
【００１３】
これによれば、警告制御サーバは、ユーザが原稿を取り忘れた際に、ユーザを撮影した
写真画像が警告画面に表示されるので、ユーザの注意を警告画面に向けさせることができ
る。このため、警告画面を視認させることにより、載置された原稿に気付かせることがで
きる。
【００１４】
本発明は、原稿の取り忘れを警告する複写装置において、複写作業を行うユーザを撮影
する撮影手段から撮影データを入力する撮影データ入力手段と、前記原稿を載置する載置
領域に該原稿があるか否かを判断する用紙検出手段と、前記撮影手段により撮影された撮
影データを記憶する撮影データ記憶手段と、ユーザの複写作業が終了であるか否かを判断
する作業終了判断手段と、ユーザの複写作業が終了であって、且つ前記載置領域に原稿が
残されている際に、前記撮影手段により撮影したユーザの写真画像を有する警告画面を表
示手段に表示する出力制御手段とを備えた。
【００１５】
これによれば、複写装置は、ユーザが原稿を取り忘れた際に、ユーザを撮影した写真画
像が警告画面に表示されるので、ユーザの注意を警告画面に向けさせることができる。こ
のため、警告画面を視認させることにより、載置された原稿に気付かせることができる。
【００１６】
本発明は、原稿の複写を行うユーザの写真を撮影する撮影手段から撮影データを入力す
る入力手段と、撮影データを記憶する撮影データ記憶手段と、警告制御コンピュータとを
用いて、原稿の取り忘れを警告する警告制御プログラムであって、前記警告制御コンピュ
ータを、ユーザの複写作業が終了であるか否かを判断する作業終了判断手段と、前記原稿
を載置する載置領域の原稿を検出する用紙検出センサに基づき、前記載置領域に取り忘れ
の原稿があるか否かを判断する載置判断手段と、ユーザの複写作業が終了であって、且つ
前記載置領域に原稿がある際に、前記撮影手段により撮影したユーザの写真画像を有する
警告画面を表示手段に表示する出力制御手段とを備えた。
【００１７】
これによれば、ユーザが原稿を取り忘れた際に、ユーザを撮影した写真画像が警告画面
に表示されるので、ユーザの注意を警告画面に向けさせることができる。このため、警告
画面を視認させることにより、載置された原稿に気付かせることができる。
【発明を実施するための最良の形態】
【００１８】
以下、本発明を具体化した第１の実施形態を図１〜図７に従って説明する。
図１は、本実施形態のコピーシステムＳの模式図である。図１に示すように、コピーシ
ステムＳは、複写装置としての複合機１、警告制御サーバとしてのサーバ７、ディスプレ
イ８及び精算機９を備えている。
【００１９】
複合機１は、読み取り手段としてのスキャナ２、複写手段としてのプリンタ３、原稿載
置領域としての原稿自動送り装置（以下、ＡＤＦ（Auto Document Feeder）という）４、
ディスプレイ８を備えている。図２に示すように、複合機１のコントローラ１０は、ＣＰ
Ｕ１１、ＡＳＩＣ１２、ＲＯＭ１３、ＲＡＭ１４、フレームメモリ１５、外部入力Ｉ／Ｆ
１６、タイマ１７を有している。ＣＰＵ１１は、ＲＯＭ１３に記憶された専用プログラム
等に従って、各種画面の表示、原稿の取り忘れの検出及び警告処理等を行う。
【００２０】
ＡＳＩＣ１２は、複合機１専用のＬＳＩであって、スキャナ駆動回路１８を介して、ス
キャナ２を駆動する。図２に示すように、スキャナ２は、光源、ミラー、レンズ等を含む
光学機構２ａ、用紙検出装置としてのフォトダイオードを配列したラインセンサ２ｂ、入
力信号処理部２ｃ及び用紙検出装置としての紙検出センサ２ｄと、原稿載置領域としての
ガラス板からなるプラテン５（図１参照）とを備えている。光源から、プラテン５を介し
て、プラテン５上に載置された原稿に光が照射されると、ラインセンサ２ｂは、原稿の読
み取り面に反射した反射光を検出して電気信号に変換する。そして、主走査方向に移動し
ながら走査を繰り返し、複写データを生成する。複写データは、入力信号処理部２ｃによ
ってＡ／Ｄ変換され、印刷データとしてＡＳＩＣ１２に出力される。ＡＳＩＣ１２は、入
力信号処理部２ｃから入力した印刷データをフレームメモリ１５に格納する。また、ライ
ンセンサ２ｂは、主走査方向に移動しながら反射光を検出し、プラテン５上に原稿がある
か否かを検出するとともに、原稿を検出した場合にはその原稿サイズも検出する。
【００２１】
図１に示すように、スキャナ２の上方には、ＡＤＦ４が設けられている。ＡＤＦ４は、
原稿をセットする給紙部４ａと、スキャナ２により読み取られた原稿を排紙する排紙トレ
イ４ｂとを有している。給紙部４ａにセットされた原稿は、ＡＤＦ４が有する排紙ローラ
（図示略）によって、スキャナ２側に順次紙送りされ、ラインセンサ２ｂによって読み取
られた後、排紙トレイ４ｂに排紙される。排紙トレイ４ｂには、赤外線センサ等の紙検出
センサ２ｄが設けられ、排紙トレイ４ｂに原稿があるか否かを検出する。
【００２２】
また、ＡＳＩＣ１２は、フレームメモリ１５に格納された印刷データとユーザによって
指定された出力サイズ、枚数等に基づき印刷ジョブを生成し、その印刷ジョブに基づきプ
リンタ駆動回路１９を介してプリンタ３を駆動する。図２に示すように、プリンタ３は、
紙送り機構３ａ及び印刷機構３ｂを備えている。紙送り機構３ａは、給紙ローラ、排紙ロ
ーラ等を備え、印刷用紙を印刷機構３ｂ側に搬送する。印刷機構３ｂは、スキャナ２によ
って生成された印刷データに基づき、感光ドラムを露光装置により露光して、ドラム表面
に潜在画像を生成する。そして、その感光ドラムにトナーを付着させ、感光ドラム及び転
写ローラとの間に搬送された印刷用紙にトナーを転写する（いずれも図示略）。複写画像
が転写された印刷物Ｐ（図１参照）は、排紙トレイ６に排紙される。
【００２３】
また、コントローラ１０のＣＰＵ１１は、外部入力Ｉ／Ｆ１６を介して、精算機９及び
ディスプレイ８とデータを送受信可能に接続されている。ディスプレイ８は、感圧式又は
静電式のタッチパネルであって、ＣＰＵ１１の主制御に従ってコピー設定画面、請求料金
画面等の各種画面を表示する。
【００２４】
また、ＣＰＵ１１は、コピー作業が終了であると判断すると、プラテン５又はＡＤＦ４
の排紙トレイ４ｂに原稿があるか否かを判断し、原稿がある場合には、取り忘れであると
判断して警告を行う。また、ディスプレイ８で設定された出力サイズ、枚数、カラーコピ
ー又は白黒コピー等のコピー種類に基づき、コピーの請求料金を演算し、請求料金をディ
スプレイ８に出力するとともに、精算機９に送信する。
【００２５】
図１に示すように、精算機９は、カード挿入口９ａ、返金レバー９ｂ、返金口９ｃ、図
示しない紙幣投入口及びコイン投入口、コントローラを備えている。精算機９のコントロ
ーラは、カード挿入口９ａに、プリペイドカード等が挿入されると、そのプリペイドカー
ドのＩＣ等に記憶された残金から、複合機１から指定された請求金額を差し引く課金処理
を行う。また、紙幣投入口及びコイン投入口に紙幣又はコインが投入されると、コントロ
ーラは、投入金額と請求金額とを比較し、釣り銭が必要であるか否かを判断する。そして
返金レバー９ｂが押釦された場合に、釣り銭を返金口９ｃから返金する。
【００２６】
次に、サーバ７の構成について、図３に従って説明する。サーバ７は、警告制御コンピ
ュータ、作業終了判断手段、出力制御手段、載置判断手段としてのＣＰＵ２０、ＲＡＭ２
１、ＲＯＭ２２、属性データ記憶手段としてのログ記憶部２３、撮影データ記憶手段とし
ての撮影データ記憶部２４、撮影データ入力手段としてのＩ／Ｆ２７を備えている。ＣＰ
Ｕ２０は、ＲＯＭ２２に記憶された警告制御プログラムに従って、Ｉ／Ｆ２７を介して、
ログデータ及び撮影データを入力し、ログ記憶部２３及び撮影データ記憶部２４に記憶す
る。
【００２７】
ログ記憶部２３には、図４に示すコピーログ２８が記憶される。コピーログ２８には、
複写属性データとしての各ログデータ２８Ｌが記憶されている。ログデータ２８Ｌは、コ
ピー番号２８ａ、年月日２８ｂ、時刻２８ｃ、入力サイズ２８ｄ、出力サイズ２８ｅ、枚
数２８ｆ、カラー２８ｇ、ステイタス２８ｈを有している。コピー番号２８ａは、１つの
ジョブに対して割り振られる番号である。年月日２８ｂ及び時刻２８ｃは、コピーを行っ
た日時及び時刻をそれぞれ示す。入力サイズ２８ｄは、スキャナ２によって走査した原稿
のサイズを示す。出力サイズ２８ｅは、ユーザによってディスプレイ８で設定されたサイ
ズを示す。枚数２８ｆは、一つのジョブで印刷された枚数を示し、カラー２８ｇはカラー
コピー、モノクロコピー等のモードを示す。ステイタス２８ｈは、コピーが通常通り終了
したか否かを示し、「通常」、又は「エラー」が格納されている。
【００２８】
撮影データ記憶部２４には、カメラ３０によって撮影されたデータが記憶される。カメ
ラ３０は、本実施形態では図１に示すように、ＡＤＦ４の上に、複合機１の前に立ったユ
ーザの顔を撮影可能に取り付けられている。ＣＰＵ２０は、コピー中にユーザを撮影し、
Ｉ／Ｆ２７を介して撮影データを入力する。入力した撮影データは、ログデータ２８Ｌの
コピー番号２８ａに関連付けて、撮影データ記憶部２４に記憶する。
【００２９】
次に、本実施形態の処理手順について図５及び図６に従って説明する。サーバ７は、図
５に示すログ記憶処理を行う。サーバ７のＣＰＵ２０は、複合機１からのコピー開始信号
の入力の有無に基づき、コピー開始であるか否かを判断する（ステップＳ１−１）。コピ
ー開始であると判断すると（ステップＳ１−１においてＹＥＳ）、ＣＰＵ２０は、カメラ
３０に撮影命令を出力し、Ｉ／Ｆ２７を介して撮影データを入力する（ステップＳ１−２
）。撮影データを入力すると、ＣＰＵ２０は、コピー番号２８ａを付して、撮影データ記
憶部２４に記憶する（ステップＳ１−３）。
【００３０】
撮影データを記憶すると、ＣＰＵ２０は、複合機１からの終了トリガの有無に基づき、
コピー終了を待機する（ステップＳ１−４）。複合機１から終了トリガを入力すると、コ
ピー終了であると判断して（ステップＳ１−４においてＹＥＳ）、複合機１から、コピー
属性データを入力する（ステップＳ１−５）。コピー属性データは、年月日、時刻、入力
サイズ、出力サイズ、枚数、モード、ステイタス等を入力すると、撮影データに付したコ
ピー番号２８ａを関連付けて、ログデータ２８Ｌとしてログ記憶部２３に記憶する（ステ
ップＳ１−５）。
【００３１】
次に、サーバ７の警告処理について図６に従って説明する。まず、サーバ７のＣＰＵ２
０は、複合機１からのジョブ終了信号の入力の有無に基づき、１回のコピーによるジョブ
が終了するのを待機する（ステップＳ２−１）。複合機１からジョブ終了信号を入力する
と、ジョブ終了であると判断し（ステップＳ２−１においてＹＥＳ）、ＣＰＵ２０は、終
了確認画面（図示略）を表示する（ステップＳ２−２）。そして、その終了確認画面に表
示された終了ボタンが選択操作されたか否かに基づき、ユーザがコピー作業を終了するか
否かを判断する（ステップＳ２−３）。
【００３２】
終了確認画面のうち、コピー設定画面に遷移する等の動作を実行する継続実行部が入力
操作された場合には、ＣＰＵ２０は、コピー作業終了でないと判断して（ステップＳ２−
３においてＮＯ）、コピー設定画面等を表示して、ディスプレイ８の画面を初期状態に戻
し、ステップＳ２−１に戻る。
【００３３】
終了ボタンが選択操作され、ＣＰＵ２０が、ディスプレイ８から終了命令信号を入力す
ると、ＣＰＵ２０はコピー作業を終了すると判断し（ステップＳ２−３においてＹＥＳ）
、ＣＰＵ２０は、プラテン５又は排紙トレイ４ｂに原稿が載置されているか否かを判断す
る（ステップＳ２−４）。ＣＰＵ２０は、複合機１のラインセンサ２ｂ又は紙検出センサ
２ｄからの検出信号に基づき、原稿の有無を判断する。プラテン５及び排紙トレイ４ｂに
原稿が載置されていないと判断した場合には（ステップＳ２−４においてＮＯ）、コピー
終了を示す案内画面（図示略）をディスプレイ８に表示する（ステップＳ２−５）。
【００３４】
一方、プラテン５又は排紙トレイ４ｂに原稿が載置されていると判断した場合（ステッ
プＳ２−４においてＹＥＳ）、警告表示を行う（ステップＳ２−６）。このとき、サーバ
７のＣＰＵ２０は、ＲＯＭ２２に記憶された画像データ及び撮影データ記憶部２４に記憶
された撮影データを読み出して、ディスプレイ８に図７に示す警告画面５０を表示する。
【００３５】
警告画面５０は、終了案内表示５０ａと、撮影データに基づく写真画像５０ｂと、警告
案内５０ｃとが表示されている。終了案内表示５０ａは、原稿の取り忘れがない場合に表
示される案内である。写真画像５０ｂは、コピー中に撮影されたユーザの写真である。警
告案内５０ｃは、原稿の取り忘れを示唆する案内が表示されている。ユーザは、ディスプ
レイ８に自分の写真が表示されているので、画面に注目し、さらに画面が意図するメッセ
ージを読取ろうとして警告案内５０ｃを確認する。警告表示を行うとステップＳ２−７に
進む。
【００３６】
ステップＳ２−７では、コピー開始を待機する初期状態に戻るか否かを判断する。ここ
では、原稿がプラテン５又はＡＤＦ４の排紙トレイ４ｂから取り除かれ、ラインセンサ２
ｂ又は紙検出センサ２ｄが原稿を検出しない場合に、初期状態に戻すと判断する（ステッ
プＳ２−７においてＹＥＳ）。また、原稿が取り除かれない状態が継続している場合、Ｃ
ＰＵ１１は、タイマ１７に基づき、印刷ジョブが終了した時点からの時間を計測し、その
時間が所定時間以上であるか否かを判断する。原稿を検出した状態が所定時間以上継続し
た場合には、初期状態に戻すと判断する（ステップＳ２−７においてＹＥＳ）。初期状態
に戻すと判断した場合には（ステップＳ２−７においてＹＥＳ）、ステップＳ２−１に戻
り、コピー設定画面等の初期画面を表示して、ディスプレイ８を初期状態とし、コピーが
開始されるのを待機する。
【００３７】
また、ユーザが警告に気付かず、コピー設置位置を離れた場合にも、サーバ７に蓄積さ
れたログ記憶部２３のログデータ２８Ｌ及び撮影データとを参照することで、原稿の持ち
主を確認することができる。
【００３８】
さらに、不正なコピーが行われた場合に、ログデータ２８Ｌを参照し、ログデータ２８
Ｌに関連付けられた撮影データを参照することで、そのコピーを行った人物を特定するこ
とができる。
【００３９】
上記実施形態によれば、以下のような効果を得ることができる。
（１）上記実施形態では、コピーシステムＳは、複合機１、ユーザを撮影するカメラ３
０、原稿取り忘れを検出した際に警告制御を行うサーバ７を備えるようにした。サーバ７
は、コピーの属性情報を示すコピーログ２８を記憶するログ記憶部２３と、カメラ３０に
より撮影された撮影データを記憶する撮影データ記憶部２４とを備えるようにした。また
、複写作業が終了である際に、複合機１がプラテン５又はＡＤＦ４に原稿を検出した場合
、サーバ７のＣＰＵ２０は、カメラ３０により撮影したユーザの写真画像５０ｂを警告画
面５０に表示するようにした。従って、ユーザの注意を警告画面５０に向けさせることが
できる。その結果、ユーザに取り忘れの原稿に気付かせることができる。
【００４０】
（２）上記実施形態では、サーバ７は、原稿を複写した際に生成されたコピーログ２８
を、撮影データと関連付けてログ記憶部２３に記憶するようにした。このため、ログデー
タ２８Ｌと撮影データとに基づき、原稿を取らずに帰ったユーザが、後で原稿を受け取り
に来た場合、顔写真の照合を行うことができる。また、不正な複写を防止するセキュリテ
ィ機能を高めることもできる。
【００４１】
尚、上記実施形態は以下のように変更してもよい。
・上記実施形態では、カメラ３０はＡＤＦ４の上に設けるようにしたが、その他の位置
に設けるようにしてもよい。
【００４２】
・上記実施形態では、ログ記憶部２３及び撮影データ記憶部２４を複合機１を記憶する
ようにしてもよい。また、複合機１のＣＰＵ１１が、カメラ３０から撮影データを入力し
、ディスプレイ８にユーザの写真を表示した警告画面５０を表示するようにしてもよい。
【００４３】
・上記実施形態では、複合機１又はサーバ７等に人感センサを設けるようにしてもよい
。そして、人感センサが、ユーザを感知した際に、カメラ３０により撮影を行うようにし
てもよい。
【００４４】
・上記実施形態では、警告画面５０に、既に撮影された撮影データを表示するようにし
たが、リアルタイム画像を表示するようにしてもよい。このようにしても、ユーザを画面
に注目させることができる。
【００４５】
・上記実施形態では、撮影データに基づく写真画像の色、明度、模様を変更して表示す
るようにしても良い。例えば、写真画像を赤くして表示するようにしてもよい。
【図面の簡単な説明】
【００４６】
【図１】本実施形態の複写システムの模式図。
【図２】サーバの構成を示すブロック図。
【図３】警告制御サーバの構成を示すブロック図。
【図４】ログデータの説明図。
【図５】本実施形態の処理手順の説明図。
【図６】本実施形態の処理手順の説明図。
【図７】本実施形態の警告画面の説明図。
【符号の説明】
【００４７】
１…複写装置としての複合機、２…読み取り手段としてのスキャナ、２ｂ…用紙検出装
置としてのラインセンサ、２ｄ…用紙検出手段としての紙検出センサ、３…複写手段とし
てのプリンタ、４…原稿載置領域としてのＡＤＦ、５…原稿載置領域としてのプラテン、
７…警告制御サーバとしてのサーバ、８…表示手段としてのディスプレイ、２０…警告制
御コンピュータ、作業終了判断手段、出力制御手段、載置判断手段としてのＣＰＵ、２３
…属性データ記憶手段としてのログ記憶部、２４…撮影データ記憶手段としての撮影デー
タ記憶部、２８Ｌ…複写属性データとしてのコピーログ、３０…撮影手段としてのカメラ
、５０…警告画面、５０ｂ…写真画像、Ｐ…印刷物、Ｓ…複写システム。
【図１】
2009134216.tif 000003
【図２】
2009134216.tif 000004
【図３】
2009134216.tif 000005
【図４】
2009134216.tif 000006
【図５】
2009134216.tif 000007
【図６】
2009134216.tif 000008
【図７】
2009134216.tif 000009